(57)【要約】【課題】持ちやすく使いやすい形状で、操作性が向上するハンディターミナル等の操作装置を実現することである。【解決手段】筐体１と、筐体１の背面の先端から後端までの中央付近に設けられ、指を掛けるための引っ掛かり部９と、引っ掛かり部９の位置に対応して筐体１の正面に設けられるセンタトリガキー３１と、筐体１の背面の引っ掛かり部９より後端側に設けられ、指を掛けるための引っ掛かり部１０と、引っ掛かり部９の位置に対応して筐体１の正面に設けられるテンキー３３と、を備える。【選択図】      図２
2012027923.tif 000002
【特許請求の範囲】
【請求項１】
筐体と、
前記筐体の背面の先端から後端までの中央付近に設けられ、指を掛けるための第１の凹部と、
前記第１の凹部の位置に対応して前記筐体の正面に設けられる第１の操作キー部と、
前記筐体の背面の前記第１の凹部より後端側に設けられ、指を掛けるための第２の凹部と、
前記第２の凹部の位置に対応して前記筐体の正面に設けられる第２の操作キー部と、
を備える操作装置。
【請求項２】
前記筐体の背面に設けられ、把持の際の手の形状に対応する卵形状の凸部を備え、
前記第１の凹部及び前記第２の凹部の全部又は一部は、前記凸部上に設けられる請求項１に記載の操作装置。
【請求項３】
前記第１の凹部又は前記第２の凹部に中指を掛けた場合の人差し指の位置に対応して前記筐体の側面に設けられる第３の操作キー部を備える請求項１又は２に記載の操作装置。
【請求項４】
前記筐体の背面の前記第１の凹部より先端側に第３の凹部を備える請求項１から３のいずれか一項に記載の操作装置。
【請求項５】
前記筐体の背面に蓋部を備え、
前記第１の凹部及び前記第２の凹部の少なくとも一方の一部又は全部は、前記蓋部上に設けられる請求項１から４のいずれか一項に記載の操作装置。
【請求項６】
前記筐体の正面の前記第１の操作キー部よりも先端側に表示部を備える請求項１から５のいずれか一項に記載の操作装置。
【請求項７】
前記第２の操作キー部は、複数の操作キーを有し、当該複数の操作キーが階段状に配列される請求項１から６のいずれか一項に記載の操作装置。
【請求項８】
前記中央付近の構成部品の密度が高い請求項１から７のいずれか一項に記載の操作装置。
【発明の詳細な説明】
【技術分野】
【０００１】
本発明は、操作装置に関する。
【背景技術】
【０００２】
従来、商品に付されるバーコードを光学的に読み取ったり、各種情報をキー入力可能な店舗支援用の操作装置としてのハンディターミナルが広く使われている。
【０００３】
また、ハンディターミナルの操作性を向上する構成が考えられている。例えば、バーコードの情報読み取り機能と顧客の非接触ＩＣカードに記録された情報を電磁誘導により読み取る機能とを有するハンディターミナルにおいて、バーコード読み取り方向とカード読み取り方向とを一致させる構成が考えられている（例えば、特許文献１参照）。この構成によれば、ユーザは、バーコード読み取りとカード読み取りとでハンディターミナルを同じ向きにして読み取り操作が可能である。
【先行技術文献】
【特許文献】
【０００４】
【特許文献１】特開２０００−１６３５２９号公報
【発明の概要】
【発明が解決しようとする課題】
【０００５】
しかし、従来のハンディターミナル等の操作装置において、操作装置を片手で持ちながら走査装置のレーザトリガキーやテンキーなどを操作しなければならず、持ちやすさや使いやすさにおいてさらなる操作性の向上が要求されている。
【０００６】
本発明の課題は、持ちやすく使いやすい形状で、操作性が向上するハンディターミナル等の操作装置を実現することである。
【課題を解決するための手段】
【０００７】
上記課題を解決するために、請求項１に記載の発明の操作装置は、筐体と、前記筐体の背面の先端から後端までの中央付近に設けられ、指を掛けるための第１の凹部と、前記第１の凹部の位置に対応して前記筐体の正面に設けられる第１の操作キー部と、前記筐体の背面の前記第１の凹部より後端側に設けられ、指を掛けるための第２の凹部と、前記第２の凹部の位置に対応して前記筐体の正面に設けられる第２の操作キー部と、を備える。
【０００８】
請求項２に記載の発明は、請求項１に記載の操作装置において、前記筐体の背面に設けられ、把持の際の手の形状に対応する卵形状の凸部を備え、前記第１の凹部及び前記第２の凹部の全部又は一部は、前記凸部上に設けられる。
【０００９】
請求項３に記載の発明は、請求項１又は２に記載の操作装置において、前記第１の凹部又は前記第２の凹部に中指を掛けた場合の人差し指の位置に対応して前記筐体の側面に設けられる第３の操作キー部を備える。
【００１０】
請求項４に記載の発明は、請求項１から３のいずれか一項に記載の操作装置において、前記筐体の背面の前記第１の凹部より先端側に第３の凹部を備える。
【００１１】
請求項５に記載の発明は、請求項１から４のいずれか一項に記載の操作装置において、前記筐体の背面に蓋部を備え、前記第１の凹部及び前記第２の凹部の少なくとも一方の一部又は全部は、前記蓋部上に設けられる。
【００１２】
請求項６に記載の発明は、請求項１から５のいずれか一項に記載の操作装置において、前記筐体の正面の前記第１の操作キー部よりも先端側に表示部を備える。
【００１３】
請求項７に記載の発明は、請求項１から６のいずれか一項に記載の操作装置において、前記第２の操作キー部は、複数の操作キーを有し、当該複数の操作キーが階段状に配列される。
【００１４】
請求項８に記載の発明は、請求項１から７のいずれか一項に記載の操作装置において、前記中央付近の構成部品の密度が高い。
【発明の効果】
【００１５】
本発明によれば、第１の凹部に指を引っ掛けて操作機器を安定して把持でき、その状態で第１の操作キーを容易に操作でき、第２の凹部に指を引っ掛けて第２の操作キーを容易に操作でき、持ちやすく使いやすい形状で、操作性が向上するハンディターミナル等の操作装置を実現できる。
【図面の簡単な説明】
【００１６】
【図１】本発明に係る実施の形態のハンディターミナルの正面図である。
【図２】ハンディターミナルの側面図である。
【図３】ハンディターミナルの背面図である。
【図４】図１のハンディターミナルのIV−IV線における断面図である。
【図５】凸部を外したハンディターミナルの背面における斜視図である。
【図６】左手でハンディターミナルを把持しセンタトリガキーを操作する状態を示す側面図である。
【図７】左手でハンディターミナルを把持しテンキーを操作する状態を示す側面図である。
【図８】右手でハンディターミナルを把持しサイドトリガキーを操作する状態を示す側面図である。
【図９】左手でハンディターミナルを把持しサイドトリガキーを操作する状態を示す斜視図である。
【発明を実施するための形態】
【００１７】
以下、添付図面を参照して本発明に係る好適な実施の形態を詳細に説明する。なお、本発明は、図示例に限定されるものではない。
【００１８】
図１〜図５を参照して、本実施の形態のハンディターミナル１００の構成を説明する。先ず、図１〜図３を参照して、ハンディターミナル１００の外観構成を説明する。図１に、本実施の形態のハンディターミナル１００の正面の構成を示す。図２に、ハンディターミナル１００の側面の構成を示す。図３に、ハンディターミナル１００の背面の構成を示す。
【００１９】
本実施の形態のハンディターミナル１００は、キー操作入力機能及びバーコード読み取り機能を有し、コンビニエンスストア等の店舗支援のための操作入力端末装置である。ハンディターミナル１００は、店舗の店員等のユーザの操作入力により、商品会計時、棚卸時（在庫管理、発注）における商品のバーコード読み取りや、各種数量（在庫数量、発注数量等）のキー入力を行う。
【００２０】
図１に示すように、ハンディターミナル１００は、筐体１を備える。ハンディターミナル１００は、筐体１の正面に、表示部２と、操作部３と、スピーカ部４と、点灯部５と、電源キー６と、マイク部４１と、を備えて構成される。
【００２１】
以下、ハンディターミナル１００の長手方向のスピーカ部４側の端部を先端とし、逆側（マイク部４１側）の端部を後端として説明する。
【００２２】
筐体１は、ＡＢＳ（Acrylonitrile Butadiene Styrene）樹脂等の材料で形成される。表示部２は、ＬＣＤ（Liquid Crystal Display）であり、各種情報を表示する。表示部２としては、ＥＬＤ（ElectroLuminescent Display）等、他の表示部としてもよい。
【００２３】
操作部３は、各種操作キーを備え、ユーザのキー入力を受け付ける。操作部３は、第１の操作キー部としてのセンタトリガキー３１、カーソルキー３１Ａ、第３の操作キー部としてのサイドトリガキー３２Ａ，３２Ｂ、第２の操作キー部としてのテンキー３３、エンターキー３４、入力キー３５、ファンクションキー３６と、キーとキーの間を仕切るリブ３７とを有する。
【００２４】
センタトリガキー３１、サイドトリガキー３２Ａ，３２Ｂは、ユーザの押下により、後述するスキャナ部７のバーコード読み取りの実行を入力するためのキーである。センタトリガキー３１は、筐体１の正面の中心付近に設けられる。カーソルキー３１Ａは、筐体１の正面のセンタトリガキー３１の左右に設けられる。カーソルキー３１Ａは、上下移動を入力するためのキーである。サイドトリガキー３２Ａは、筐体１の右側面でセンタトリガキー３１より先端側の位置に設けられる。サイドトリガキー３２Ｂは、筐体１の左側面でセンタトリガキー３１より先端側の位置に設けられる。
【００２５】
テンキー３３は、ユーザの押下により０〜９の各種数字、文字を入力するためのキーである。テンキー３３は、筐体１の正面のセンタトリガキー３１より後端側に設けられる。
【００２６】
エンターキー３４は、ユーザの押下により確定を入力するためのキーである。入力キー３５は、シフトキー、ユーザの押下により小数点を入力するためのキー、ユーザの押下により削除を入力するためのクリアキーを含む。ファンクションキー３６は、ユーザの押下により各種ファンクションの実行を入力するためのキーである。
【００２７】
スピーカ部４は、筐体１の正面の表示部２より先端側に設けられ、各種の音を出力する。点灯部５は、筐体１の正面のスピーカ部４の左側に設けられる。点灯部５は、ＬＥＤ（Light Emitting Diode）等の発光部を有し、その発光部の点灯を行う。例えば、後述するスキャナ部７によるバーコード読み取り時、バーコードの読み取りが成功した際に、スピーカ部４による音出力と、点灯部５による点灯により、聴覚的及び視覚的にユーザに成功の旨を知らしめる。
【００２８】
電源キー６は、筐体１の正面のスピーカ部４の右側に設けられ、ユーザの電源オン／オフの押下入力を受け付ける。マイク部４１は、筐体１の正面の後端の中央付近に設けられ、ユーザのメッセージ等の音声入力を受付ける。また、スピーカ部４、点灯部５、電源キー６、マイク部４１の位置は、上記の位置に限定されるものではない。
リブ３７は、隣接するキーを仕切るように、テンキー３３、入力キー３５、ファンクションキー３６に配置される。リブ３７を有することにより、ユーザが誤って隣り合ったキーの同時押しを避けることができる。そのため小さい筐体１にでも、ユーザが押し易い大きなキーを配置することが可能である。なお、キーが隣接しない場合、例えばテンキー３３の１、２、３の数値キーと、４、５、６の数値キーとの間には空間があるので、このような空間がある個所にはリブ３７を配置しなくてもよい。
【００２９】
図２に示すように、ハンディターミナル１００は、さらに、スキャナ部７と、アタッチメント固定凹部７Ａと、凸部８と、第１の凹部としての引っ掛かり部９と、第２の凹部としての引っ掛かり部１０と、第３の凹部としての凹部１１と、突起部１２と、ロック部１９と、を備える。
【００３０】
スキャナ部７は、筐体１の先端面に設けられ、商品に付されたバーコード等を光学的に読み取る。スキャナ部７は、バーコード等に照射する光の発光部と、発光部から発光されてバーコード等で反射される反射光を受光して電気信号に変換する受光部とを備える。スキャナ部７は、センタトリガキー３１、サイドトリガキー３２Ａ又は３２Ｂの押下に応じて、光照射及び情報の読み取りの動作が行われる。
【００３１】
筐体１のスキャナ部７部分は、背面側に曲げられた筐体１内に設けられ、筐体１の先端面の法線の延長線上に読み取るべきバーコードが位置するので、ユーザがハンディターミナル１００を把持して筐体１の先端面に沿ってバーコードに狙いをつけ易くなる。
また筐体１のアタッチメント固定凹部７Ａ部分は、図示しないアタッチメントを取り付ける係合部分である。アタッチメントを取り付け、このアタッチメントの先端を読み取るべきバーコードの位置に接触させることで、バーコードに狙いをさらにつけ易くなり、操作に慣れていない初心者であってもバーコードを簡単に読み取ることができる。
【００３２】
凸部８が無くても、ハンディターミナル１００の把持時にフィット感を十分得ることができるが、筐体１が後端側に向けて徐々にすぼまっているため、すっぽ抜けるおそれもある。このため、ハンディターミナル１００に凸部８が設けられている。
【００３３】
凸部８は、筐体１の一部であり、筐体１の背面の後端側で、操作部３の裏側に設けられる。凸部８は、半卵形状（略半楕円球）を有する。つまり、正面の操作部３からその裏側（背面の引っ掛かり部９，１０）に行くにつれて稜線が大きくなる。ユーザが裏面からハンディターミナル１００を把持した場合に、ユーザの手の平全体に凸部８がフィットし、把持したときの安心感が増大する。また、半卵形状は、外力に対する強度が大きい。すなわち落下時にも応力の集中が無く、衝撃が分散されるという効果により落下衝撃耐性を実現できる。このため、凸部８がない構成に比べて、凸部８（及び筐体１）の肉厚を薄くすることができ、軽量化が実現できる。
【００３４】
引っ掛かり部９，１０は、筐体１の背面の凸部８上に設けられ、ユーザの指を引っ掛けるための凹部である。引っ掛かり部９は、ハンディターミナル１００の重心位置Ｇ内に配置され、センタトリガキー３１の裏側付近に位置する。また、側面から見た場合に、引っ掛かり部９の中心は、センタトリガキー３１の裏側付近で、その中心よりも先端側に位置することが好ましい。
【００３５】
引っ掛かり部１０は、テンキー３３の裏側に対応する位置に配置される。また、サイドトリガキー３２Ａ，３２Ｂは、後述するように筐体１を正面から把持し引っ掛かり部１０に中指を引っ掛けた状態での人差し指の位置に配置される。
【００３６】
筐体１のスキャナ部７の形状と、凸部８とにより、筐体１に凹部１１が形成される。凹部１１により、ハンディターミナル１００を、その背面を下にするように机上等に載置した場合に、ユーザが凹部１１に指を入れてハンディターミナル１００を容易に掴んで持ち上げることができる。
【００３７】
突起部１２は、筐体１の両側面で、操作部３の側方の位置に配置されて設けられる。突起部１２は、ディンプル加工が施され、複数の突起からなり、ユーザがハンディターミナル１００を把持する際に、各突起が滑り止めの効果を有する。また、筐体１の操作部３の位置付近の角部（端部）は、面取りがなされている。このため、ユーザの中指、薬指、小指等の手当たり感をよくでき、グリップ性が向上され、把持するユーザに安心感を与えることができる。
【００３８】
ロック部１９は、電池蓋８Ｂを開けるために後述する係止部１９Ｃのロックを解除する際にスライド操作される。
【００３９】
また、図２にしめすテンキー３３、エンターキー３４、入力キー３５の各キーは、側方から見ると、後端側から先端側へ上昇する階段形状をしている。このため、テンキー３３を小さくしても、ユーザがテンキー３３、エンターキー３４、入力キー３５の各キーを容易に押下操作できる。なおこの階段形状については図４にて詳細に説明する。
【００４０】
図３に示すように、ハンディターミナル１００は、さらに、通信端子１４を備える。通信端子１４は、背面の後端に設けられ、外部との通信を介するための接続端子である。ハンディターミナル１００は、図示しないクレードルに載置可能である。クレードルは、商用電源と外部機器の通信ケーブルとに接続される。ハンディターミナル１００をクレードルに載置した状態で、そのクレードルの充電端子と充電端子１３とが接続され、またクレードルの通信端子と通信端子１４とが接続される。このクレードルとの接続状態において、充電端子１３を介しハンディターミナル１００に充電が行われ、通信端子１４を介して外部機器とハンディターミナル１００との通信が行われる。
【００４１】
次いで、図４を参照して、ハンディターミナル１００の内部構成を説明する。図４に、図１のハンディターミナル１００のIV−IV線における断面構成を示す。
【００４２】
図４に示すように、ハンディターミナル１００は、内部に、表示部２、スピーカ部４、スキャナ部７、通信端子１４、基板１５、メインバッテリー１６、サブバッテリー１７、バイブレータ１８、マイク部４１等を備えて構成される。スキャナ部７の光照射方向ａ（情報読み取り方向）は筐体１の先端面の法線ｂとの交点ｃが焦点になるように光を照射する。このため、スキャナ部７の光照射方向は、ユーザがハンディターミナル１００を把持して筐体１の先端面に沿ってバーコードに狙いをつけ易くなる。
【００４３】
基板１５は、表示部２及び操作部３の位置に対応し筐体１の内部に設けられ、ＰＣＢ（Printed Circuit Board）で構成され、ハンディターミナル１００の各電子部品に接続される。メインバッテリー１６は、操作部３の位置に対応し、筐体１の内部に設けられる。メインバッテリー１６は、着脱可能で充放電可能な２次電池であり、例えば、リチウム電池である。
【００４４】
サブバッテリー１７は、引っ掛かり部９の後端側の位置に対応し筐体１の内部に設けられる。サブバッテリー１７は、固定的に設けられた充放電可能な２次電池であり、メインバッテリー１６の供給電力がなくなると、その代わりに電力を供給する。メインバッテリー１６及びサブバッテリー１７は、充電端子１３を介して充電される。
【００４５】
バイブレータ１８は、サブバッテリー１７の後端側の位置に対応し筐体１の内部に設けられ、振動を行う。例えば、後述するスキャナ部７によるバーコード読み取り時、バーコードの読み取りが成功した際に、バイブレータ１８により振動出力がなされ、触覚的にユーザに成功の旨を知らしめる。
【００４６】
また、凸部８の内部には、中空部８Ａを有する。中空部８Ａにより、凸部８の形状を確保するとともに、ハンディターミナル１００の軽量化が図れる。テンキー３３、エンターキー３４、入力キー３５の個々のキーの形状は後端側が先端側より若干高くなるように形成され、テンキー３３、エンターキー３４、入力キー３５の各キーは後端側から先端側へ上昇して設けられているキーボード基板３８上に配置され、その結果、各キーは後端側から先端側へ上昇する階段状に配列される。後述する図７の状態で、ユーザがハンディターミナル１００を把持したまま、テンキー３３、エンターキー３４、入力キー３５を親指２０１で押下操作する際に、各キーは後端側から先端側へ上昇する階段状に配列されているので、親指２０１を動かして各キーを操作する場合に各キーへの親指２０１の掛かりが良くなり操作性を向上させることが可能になる。
【００４７】
また、ハンディターミナル１００は、筐体１の先端から後端までの中央付近にその重心が位置するように、引っ掛かり部９付近の筐体１内部に重量が比較的大きい部品を密度が高くなるように配置されている。
【００４８】
次いで、図５を参照して、凸部８の蓋部としての電池蓋８Ｂの構成を説明する。図５に、電池蓋８Ｂを外したハンディターミナル１００の背面における斜視構成を示す。
【００４９】
図５に示すように、凸部８は、メインバッテリー１６の電池蓋８Ｂとして機能し、ロック部１９Ａ及び１９Ｂをスライド操作して、係止部１９Ｃ、８Ｄのロックを解除し、電池蓋８Ｂを開ける。例えば、ユーザの手の大きさ、把持時の手の形状等に応じて、形状が異なる凸部８（電池蓋８Ｂ）を用意しておき、使用中の凸部８（電池蓋８Ｂ）を、次に使用するユーザに応じた適切な形状の凸部８（電池蓋８Ｂ）に交換することにより、異なるユーザそれぞれに対して、ハンディターミナル１００把持時の手を凸部８にフィットさせることもできる。また、メインバッテリー１６を大容量バッテリーにした場合など、その大きさに合わせて形状が異なる凸部８（電池蓋８Ｂ）を用意することもできる。なお接触検出部８Ｃは電池蓋８Ｂの接触を検出する接触検出部である。
【００５０】
次に、図６〜図９を参照して、ハンディターミナル１００をユーザが把持及び操作する動作状態を説明する。図６に、左手２００でハンディターミナル１００を把持しセンタトリガキー３１を操作する状態を示す。図７に、左手２００でハンディターミナル１００を把持しテンキー３３を操作する状態の側面構成を示す。図８に、右手３００でハンディターミナル１００を把持しサイドトリガキー３２Ａを操作する状態の側面構成を示す。図９に、左手２００でハンディターミナル１００を把持しサイドトリガキー３２Ｂを操作する状態の斜視構成を示す。
【００５１】
図６に示すように、ハンディターミナル１００のセンタトリガキー３１を操作する場合に、ユーザは例えば左手２００でハンディターミナル１００を背面側から把持する。より具体的には、左手２００の人差し指２０２を引っ掛かり部９に引っ掛けて把持する。すると、自然に無理なく、左手２００が凸部８にフィットし、中指２０３が引っ掛かり部１０に引っ掛かり、薬指２０４及び小指２０５が筐体１の右側面に位置され、親指２０１がセンタトリガキー３１上に位置する。また、中指２０３、薬指２０４及び小指２０５の指先位置に、突起部１２が位置する。
【００５２】
図６の状態で、ユーザがハンディターミナル１００を把持したまま、センタトリガキー３１を親指２０１で押下操作する。特に、ハンディターミナル１００のスキャナ部７の光照射方向をバーコードに容易に向けることができ、その姿勢でセンタトリガキー３１を押下して容易にバーコードの読み取りを行うことができる。スキャン操作（センタトリガキー３１押下）時に、腕に余計な負担を掛けることなく快適なスキャン操作が可能となる。また、図６の把持の位置関係は、スキャン操作時において、ハンディターミナル１００が不安定になることを防止できる。また、中指２０３を引っ掛かり部９に引っ掛けて把持することとしてもよい。ハンディターミナル１００を右手３００で把持してセンタトリガキー３１を操作する場合も同様である。
【００５３】
また、引っ掛かり部９が重心位置Ｇ内にあるため、ユーザがハンディターミナル１００を把持したときの腕の緊張を緩和できる。人差し指２０２を重心位置Ｇ内の引っ掛かり部９に引っ掛けると、筐体１の重量バランスがとれ、ハンディターミナル１００をより確実に把持でき、ハンディターミナル１００の落下を防ぐことができ、長時間の操作においてユーザの疲労を軽減できる。特に、ハンディターミナル１００を持つ位置が決まらないことと、指が安定しないことと、ハンディターミナル１００の重量を感じ続けることで腕の筋に余計な負担がかかり、疲労を感じるが、図６に示したハンディターミナル１００の把持により、ユーザにおける重量感を軽減することができる。
【００５４】
図７に示すように、ハンディターミナル１００のテンキー３３を操作する場合に、ユーザは例えば左手２００でハンディターミナル１００を背面側から把持する。より具体的には、左手２００の人差し指２０２を引っ掛かり部１０に引っ掛けて把持する。すると、自然に無理なく、左手２００が凸部８にフィットし、中指２０３及び薬指２０４が筐体１の右側面に位置され、親指２０１がテンキー３３上に位置する。また、中指２０３及び薬指２０４の指先位置に、突起部１２が位置する。
【００５５】
図７の状態で、ユーザがハンディターミナル１００を把持したまま、テンキー３３を親指２０１で押下操作する。テンキー操作（テンキー３３押下）時に、腕に余計な負担を掛けることなく快適なテンキー操作が可能となる。また、図７の把持の位置関係は、テンキー操作時において、ハンディターミナル１００が不安定になることを防止できる。また、中指２０３を引っ掛かり部１０に引っ掛けて把持することとしてもよい。ハンディターミナル１００を右手３００で把持してテンキー３３を操作する場合も同様である。
【００５６】
ユーザがハンディターミナル１００のサイドトリガキー３２Ａを操作する場合に、図８に示すように、ユーザは例えば右手３００でハンディターミナル１００を正面側から把持する。より具体的には、右手３００の中指３０３を引っ掛かり部１０に引っ掛けて把持する。すると、自然に無理なく、薬指３０４及び小指３０５が凸部８にフィットし、人差し指３０２がサイドトリガキー３２Ａに位置する。
【００５７】
図８の状態で、ユーザがハンディターミナル１００を把持したまま、サイドトリガキー３２Ａを人差し指３０２で押下操作する。特に、ハンディターミナル１００のスキャナ部７の光照射方向をバーコードに容易に向けることができ、その姿勢でサイドトリガキー３２Ａを押下して容易にバーコードの読み取りを行うことができる。特に、凸部８により、正面の操作部３から裏面（背面）に行くにつれて稜線が大きくなるので、図８の把持状態でのユーザの違和感を除去できる。
【００５８】
図９に示すように、ハンディターミナル１００を左手２００で把持してサイドトリガキー３２Ｂを操作する場合も、同様である。また、サイドトリガキー３２Ａ又は３２Ｂを操作する際、左手２００又は右手３００により表示部２が隠れることがないため、ユーザが表示部２を確実に視認しつつ、サイドトリガキー３２Ａ又は３２Ｂを操作できる。
【００５９】
以上、本実施の形態によれば、引っ掛かり部９を筐体１の背面の重心位置Ｇである中心付近に設け、対応する筐体１の正面の位置にセンタトリガキー３１を設けた。このため、引っ掛かり部９に人差し指を引っ掛けてハンディターミナル１００をユーザが安定して確実に把持できるとともに重量感を軽減でき、その状態でセンタトリガキー３１を親指で容易に押下操作できる。
【００６０】
また、引っ掛かり部１０を筐体１の背面の引っ掛かり部９より後端側に設け、対応する筐体１の正面の位置にテンキー３３を設けた。このため、引っ掛かり部１０に人差し指を引っ掛けてハンディターミナル１００をユーザが確実に把持でき、その状態でテンキー３３を親指で容易に押下操作できる。従って、持ちやすく使いやすい形状で、操作性が向上するハンディターミナル１００を実現できる。
【００６１】
また、略半楕円球状の凸部８を筐体１の背面に設けた。このため、凸部８が手にフィットしハンディターミナル１００をユーザが確実に把持でき、手にしっくりなじむ親和感をユーザに与えることができる。また、凸部８により、ハンディターミナル１００の強度を上げることができ、よって凸部８の肉厚を薄くして軽量にできる。
【００６２】
また、サイドトリガキー３２Ａ，３２Ｂを、ハンディターミナル１００を正面から把持し引っ掛かり部１０に中指を引っ掛けた状態で人差し指が位置する筐体１の両側面に設けた。このため、引っ掛かり部９に中指を引っ掛けた状態でサイドトリガキー３２Ａ又は３２Ｂを容易に押下操作できる。
【００６３】
また、筐体１の背面に凹部１１を設けた。このため、背面を下にしてハンディターミナル１００が机上等に載置された状態から、ユーザが凹部１１に指を入れて容易且つ確実にハンディターミナル１００を掴んで持ち上げることができる。
【００６４】
また、凸部８が着脱可能な電池蓋８Ｂとして機能する。このため、凸部８の交換を容易にでき、例えば、使用中の凸部８を次に使用するユーザの手の形状に対応する凸部８に交換でき、さらに操作性を向上できる。また、メインバッテリー１６の形状に応じて、その形状に応じた凸部８に交換できる。
【００６５】
また、筐体１の正面のセンタトリガキー３１より先端側に表示部２を備える。このため、筐体１を正面から把持し中指を引っ掛かり部１０に引っ掛けた状態でも、手により表示部２が隠れることなく、ユーザが表示部２を確実に視認できる。
【００６６】
また、テンキー３３、エンターキー３４、入力キー３５は、各キーが後端側から先端側へ上昇する階段状に配列される。このため、テンキー３３、エンターキー３４、入力キー３５が小さくてもキーを押下しやすく、操作性を向上できる。よって、テンキー３３、エンターキー３４、入力キー３５を小さくしてハンディターミナル１００を小型化できる。
【００６７】
また、重心位置である引っ掛かり部９付近でハンディターミナル１００の構成部品の密度が高い。このため、引っ掛かり部９に指を引っ掛けてハンディターミナル１００を把持する際に、ハンディターミナル１００の重量バランスを良くし、姿勢を安定にできる。
【００６８】
なお、上記実施の形態における記述は、本発明に係る操作装置の一例であり、これに限定されるものではない。
【００６９】
上記実施の形態では、操作装置としてハンディターミナルを用いる構成としたが、ＰＤＡ（Personal Digital Assistant）、電化製品のリモートコントローラ等、他の操作装置としてもよい。
【００７０】
また、上記実施の形態では、筐体１の側面に突起部１２を設けたが、これに限定されるものではない。例えば、引っ掛かり部９，１０の少なくとも一方に滑り止めのための突起部等を設ける構成としてもよい。
【００７１】
また、上記実施の形態では、筐体１を正面から把持し引っ掛かり部１０に中指を引っ掛けた状態での人差し指の位置にサイドトリガキー３２Ａ，３２Ｂを配置したが、これに限定されるものではない。例えば、筐体１を正面から把持し引っ掛かり部９に中指を引っ掛けた状態での人差し指の位置にサイドトリガキー３２Ａ，３２Ｂを配置する構成としてもよい。
【００７２】
また、上記実施の形態では、センタトリガキー３１、サイドトリガキー３２Ａ，３２Ｂ、テンキー３３、エンターキー３４、入力キー３５、ファンクションキー３６を、押下式のキーとしたが、これに限定されるものではない。例えば、センタトリガキー３１、サイドトリガキー３２Ａ，３２Ｂ、テンキー３３、エンターキー３４、入力キー３５、ファンクションキー３６を、スライド式、ジョグダイヤル式等、他の方式のキーとすることとしてもよく、また、それぞれ、他の操作入力のための操作キーとしてもよい。
【００７３】
また、引っ掛かり部９，１０の少なくとも一つが凸部８上に設けられる構成としてもよい。また、引っ掛かり部９，１０の少なくとも一つの一部又は全部が蓋として交換可能な構成としてもよい。
【００７４】
また、上記実施の形態におけるハンディターミナル１００の各構成要素の細部構成及び細部動作に関しては、本発明の趣旨を逸脱することのない範囲で適宜変更可能であることは勿論である。
【符号の説明】
【００７５】
１００  ハンディターミナル
１  筐体
２  表示部
３  操作部
３１  センタトリガキー
３２Ａ，３２Ｂ  サイドトリガキー
３３  テンキー
３４  エンターキー
３５  入力キー
３６  ファンクションキー
３７  リブ
３８  キーボード基板
４  スピーカ部
４１  マイク部
５  点灯部
６  電源キー
７  スキャナ部
７Ａ  アタッチメント固定凹部
８  凸部
８Ａ  中空部
８Ｂ  電池蓋
８Ｃ  接触検出部
８Ｄ  凸部
９  引っ掛かり部
１０  引っ掛かり部
１１  凹部
１２  突起部
１３  充電端子
１４  通信端子
１５  基板
１６  メインバッテリー
１７  サブバッテリー
１８  バイブレータ
１９  ロック部
１９Ａ，１９Ｂ  ロック部
１９Ｃ  係止部
２００  左手
３００  右手
２０１  親指
２０２，３０２  人差し指
２０３，３０３  中指
２０４，３０４  薬指
２０５，３０５  小指
ａ  光照射方向
ｂ  法線
ｃ  交点
【図１】
2012027923.tif 000003
【図２】
2012027923.tif 000004
【図３】
2012027923.tif 000005
【図４】
2012027923.tif 000006
【図５】
2012027923.tif 000007
【図６】
2012027923.tif 000008
【図７】
2012027923.tif 000009
【図８】
2012027923.tif 000010
【図９】
2012027923.tif 000011
【手続補正書】
【提出日】平成23年9月6日(2011.9.6)
【手続補正１】
【補正対象書類名】明細書
【補正対象項目名】０００７
【補正方法】変更
【補正の内容】
【０００７】
上記課題を解決するために、請求項１に記載の発明の操作装置は、前面側に凸となるように長手方向に沿って弓状に形成され、先端面にスキャナ部を有し、当該スキャナ部からの照射光が先端方向と背面方向の間の方向に照射されるように先端側が背面側に曲げられた上部と、背面側に凸となるように長手方向に沿って弓状に形成され、把持の際の手の形状に対応する略半楕円球状の凸部を背面に有する下部と、からなる筐体と、前記筐体の前面略中央部に設けられ、前記スキャナ部による読取実行を入力するための第１の操作キー部と、前記筐体の背面略中央部に設けられ、前記凸部の横手方向に沿って弓状にカーブした、指を掛けるための第１の凹部と、を備える。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
本発明によれば、持ちやすく使いやすい形状で、操作性が向上する操作装置を実現できる。
【手続補正１０】
【補正対象書類名】特許請求の範囲
【補正対象項目名】全文
【補正方法】変更
【補正の内容】
【特許請求の範囲】
【請求項１】
前面側に凸となるように長手方向に沿って弓状に形成され、先端面にスキャナ部を有し、当該スキャナ部からの照射光が先端方向と背面方向の間の方向に照射されるように先端側が背面側に曲げられた上部と、
背面側に凸となるように長手方向に沿って弓状に形成され、把持の際の手の形状に対応する略半楕円球状の凸部を背面に有する下部と、
からなる筐体と、
前記筐体の前面略中央部に設けられ、前記スキャナ部による読取実行を入力するための第１の操作キー部と、
前記筐体の背面略中央部に設けられ、前記凸部の横手方向に沿って弓状にカーブした、指を掛けるための第１の凹部と、
を備える操作装置。
【請求項２】
前記筐体の前記第１の凹部より後端側に設けられ、前記凸部の横手方向に沿って弓状にカーブした、指を掛けるための第２の凹部を更に備える請求項１に記載の操作装置。
【請求項３】
前記第１の凹部又は前記第２の凹部に中指を掛けた場合の人差し指の位置に対応して前記筐体の側面に設けられる第３の操作キー部を更に備える請求項２に記載の操作装置。
【請求項４】
前記筐体の上部の背面側に設けられた第３の凹部を更に備える請求項１から３のいずれか一項に記載の操作装置。
【請求項５】
前記筐体の上部の前面に表示部を更に備える請求項１から４のいずれか一項に記載の操作装置。